(57)【要約】      （修正有）【課題】作業者が携行でき、任意の場所で簡易に地下水生生物を収集できる、新規且つ有用な地下水生生物の採集具を提供する。【解決手段】中空の吸水路に連通する複数の通水孔５が設けられた吸水用パイプ３、７と、吸水用パイプの軸方向先端側に取り付けられたブルポイント２３と、吸水用パイプに取り付けられた一対のハンドル４３とを備える。一対のハンドル４３を把持して地面に突き刺して仮止めした後に、ハンマーで打ち込めば容易に所望の深さまで埋め込むことができる。この状態で、陰圧式の吸水用ポンプの上側開口部から吸水用チューブを差し込んでポンプ作用を起こさせれば、通水孔５から地下水生生物がその地下環境水と共に採集される。従って、採集場所を問わず、簡易に採集できる。【選択図】図３
0003186017.tif 000002
【実用新案登録請求の範囲】
【請求項１】
中空の吸水路に連通する複数の通水孔が設けられた吸水用パイプと、前記吸水用パイプの軸方向先端側に取り付けられた尖鋭部と、軸方向基端側の吸水ポンプ取付け用の開口部と、前記吸水用パイプに取り付けられたハンドルとを備え、
地中に打ち込まれた吸水用パイプの開口部側に取り付けた吸水ポンプにより、前記通水孔から地下水が吸い上げられることを特徴とする地下水生生物の採集具。
【請求項２】
請求項１に記載した地下水生生物の採集具において、
さらに、棒状挿入部とヘッド部を有したハンマーヘッドを備えており、ハンマー打ち込みの際に、前記棒状挿入部が吸水用パイプの開口部に挿入されて一体化されることを特徴とする採集具。
【請求項３】
請求項２に記載した地下水生生物の採集具において、
吸水用パイプの開口部には補強リングが外嵌めされており、その環状上面がハンマーヘッドのヘッド部の下面と当接することを特徴とする採集具。
【請求項４】
請求項１から３のいずれかに記載した地下水生生物の採集具において、
ハンドルは、吸水用パイプと十字状を成すよう取り付けられたハンドル用パイプで構成されていることを特徴とする採集具。
【請求項５】
請求項１から４のいずれかに記載した地下水生生物の採集具において、
尖鋭部は、吸水用パイプに着脱自在になっていることを特徴とする採集具。
【考案の詳細な説明】
【技術分野】
【０００１】
本考案は、地下水中の生物を簡易に採集できる採集具に関するものである。
【背景技術】
【０００２】
近年、農薬や重金属、揮発性有機化合物、硝酸態窒素などによる地下水の汚染が問題となっており、これらの汚染が様々な人間活動や地下水中の生物、すなわち地下水生生物へ与える悪影響が懸念されている。
而して、地下水生生物は、地表性生物と同様に、周囲の環境・水質などに適した生態的特性を有するので、ある場所における地下水生生物への影響を信頼性高く評価するには、その場所の地下水生生物を実際に採集し、それを利用することが必要である。
【先行技術文献】
【非特許文献】
【０００３】
【非特許文献１】篠田授樹、村田菜菜、服部睦子著、「東京都の湧水等に出現する地下水生生物の調査」、とうきゅう環境浄化財団研究助成成果報告書、2007年03月31日、28巻、164号、1〜49ｐ
【考案の概要】
【考案が解決しようとする課題】
【０００４】
従来は、非特許文献１に記載のように、湧水の湧きだし口から地下水生生物らしきものを採集したり、井戸水を大量に汲み上げてそこから地下水生生物を採集したりしていた。これらの採集手法では特別な装置は必要としない、簡易な手法ではあるが、採集場所が限定されてしまう。
一方、重機等を設置し、その場所を掘り下げて採集すれば、採集場所は限定されないが、重機等の設置、撤去、搬送に多大な負担が掛かり、簡易な手法とは言えない。
【０００５】
本考案は上記従来の問題点に着目して為されたものであり、作業者が携行でき、任意の場所で簡易に地下水生生物を採集できる、新規且つ有用な採取具を提供することを、その目的とする。
【課題を解決するための手段】
【０００６】
本考案は上記課題を解決するためになされたものであり、請求項１の考案は、中空の吸水路に連通する複数の通水孔が設けられた吸水用パイプと、前記吸水用パイプの軸方向先端側に取り付けられた尖鋭部と、軸方向基端側の吸水ポンプ取付け用の開口部と、前記吸水用パイプに取り付けられたハンドルとを備え、地中に打ち込まれた吸水用パイプの開口部側に取り付けた吸水ポンプにより、前記通水孔から地下水が吸い上げられることを特徴とする地下水生生物の採集具である。
【０００７】
請求項２の考案は、請求項１に記載した地下水生生物の採集具において、さらに、棒状挿入部とヘッド部を有したハンマーヘッドを備えており、ハンマー打ち込みの際に、前記棒状挿入部が吸水用パイプの開口部に挿入されて一体化されることを特徴とする採集具である。
【０００８】
請求項３の考案は、請求項２に記載した地下水生生物の採集具において、吸水用パイプの開口部には補強リングが外嵌めされており、その環状上面がハンマーヘッドのヘッド部の下面と当接することを特徴とする採集具である。
【０００９】
請求項４の考案は、請求項１から３のいずれかに記載した地下水生生物の採集具において、ハンドルは、吸水用パイプと十字状を成すよう取り付けられたハンドル用パイプで構成されていることを特徴とする採集具である。
【００１０】
請求項５の考案は、請求項１から４のいずれかに記載した地下水生生物の採集具において、尖鋭部は、吸水用パイプに着脱自在になっていることを特徴とする採集具である。
【考案の効果】
【００１１】
本考案の採集具を用いれば、作業者が携行し、任意の場所で簡易に地下水生生物が採集できる。
【図面の簡単な説明】
【００１２】
【図１】本考案の実施の形態に係る地下水生生物の採集具の分解斜視図である。
【図２】図１に示す採集具の一部の別方向からの拡大斜視図である。
【図３】図１の採集具にハンマーヘッドを装着した状態を示す斜視図である。
【図４】図１に採集具に吸水ポンプを装着した状態を示す斜視図である。
【図５】図３の状態の採集具を用いた打ち込み作業の説明図である。
【図６】図４の状態の採集具を用いた採集作業の説明図である。
【図７】図６に示す採集作業における吸水動作の説明図である。
【考案を実施するための形態】
【００１３】
本考案の実施の形態に係る地下水生生物の採集具１を、図面にしたがって説明する。
図１において、符号３、７は円筒状の吸水用パイプを示す。吸水用パイプ３、７は同じ種類（素材、外径、内径が同じ寸法）のものであり、長い方の吸水用パイプ３の一端側には複数の通水孔５が設けられている。
吸水用パイプ３の軸方向他端部と吸水用パイプ７の軸方向一端部とがクロス継手９の対向する二つの接続部にそれぞれ溶接固定されている。吸水用パイプ３の内筒部はクロス継手９を介して吸水用パイプ７の内筒部と同軸状に配置され連通している。この吸水用パイプ３、クロス継手９及び吸水用パイプ７の連通した内筒部が吸水路１１（図７参照）となっている。
【００１４】
吸水用パイプ３の一端部（先端部）は外周側が削られてその余の部分より小径化されている。この小径化部分に、円筒状のアダプターチャック１３の取付け側が外嵌めされ溶接固定されて、吸水用パイプ３とアダプターチャック１３とが直状に一体化されている。
このアダプターチャック１３の内筒部１５にはキー（図示省略）が設けられている。
また、外周面には、雌ネジ孔が形成されており、この雌ネジ孔に雄ネジ部材２１が挿入され螺合している。
【００１５】
符号２３は先端工具の一種であるブルポイントを示す。ブルポイント２３は、軸部が六角柱状を成し、先端が尖鋭な円錐状になっている機能部２５と、機能部２５の六角柱部分より小径となっている受入れ部２７とが一体に形成されている。受入れ部２７にはキー溝２９が形成されている。機能部２５の先端の尖鋭部分が楔効果を発揮して材料を破砕できるので、コンクリート等の硬い材料の斫作業等に使用されている。これを、採集具１の尖鋭部として利用している。
ブルポイント２３の受入れ部２７をアダプターチャック１３の内筒部１５に差込み、キー溝２９をキーに係合させて位置決めした上で、雄ネジ部材２１を螺進させると、受入れ部２７がアダプターチャック１３の内筒部１５に対して押圧固定されて装着される。装着時には、ブルポイント２３はアダプターチャック１３を介して吸水用パイプ３、７と直状に連なる。
【００１６】
吸水用パイプ７の軸方向他端部は開口部８になっており、その外周側は補強リング３１が外嵌めされ溶接固定されている。
補強リング３１は、図２に示すように、ある程度の肉厚を備えており、その環状上面が支持面３３となっている。補強リング３１はその軸方向の一部が吸水用パイプ７に外嵌めされており、残りの部分は吸水用パイプ７よりも軸方向に突出している。従って、吸水用パイプ７の開口部８の上面は補強リング３１の支持面３３よりも一段下がっている。
【００１７】
符号３５はハンマーヘッドを示す。このハンマーヘッド３５は、円柱状のヘッド部３７の軸方向裏面に円柱状の差込み棒３９が同軸状に連結されている。
この差込み棒３９を吸水用パイプ７に差し込むと、ヘッド部３７の裏面が上記した補強リング３１の支持面３３に当接した状態で一体化される。従って、ハンマー３６（図５参照）でヘッド部３７が打ち込まれたときに、その衝撃は補強リング３１で受け止められ、吸水用パイプ７への衝撃負担が軽減されるようになっている。
【００１８】
上記した構成の採集具１には、ハンドル４１が取り付けられている。ハンドル４１は一対のハンドル用パイプ４３、４３で構成されている。各ハンドル用パイプ４３は、上記した吸水用パイプ３、７と同じ管設計になっている。各ハンドル用パイプ４３の一端側がクロス継手９の残りの接続部に溶接固定されており、ハンドル用パイプ４３、４３は吸水用パイプ３、７と十字状を成している。
【００１９】
採集具１は、上記した部材で構成されており、作業の前に、ブルポイント２３を吸水用パイプ３に装着しておく。
作業には、採集作業と、それに付随する採集作業の前後の設置作業と撤収作業があり、ハンマーヘッド３５は、設置作業の際に取り付ける。
図３は、ハンマーヘッド３５を取り付けた状態を示している。
図４は、吸水ポンプ４９を取り付けた状態を示している。
この吸水ポンプ４９は陰圧式になっており、ピストン５３を引いて後退させるとポンプ内部が陰圧になって、水が吸込み側の吸水チューブ５１側から吸い上げられるようになっている。吐出し側にはプラスチック製のボトル５５が着脱自在に装着されている。吸水ポンプ４９の吸水チューブ５１は補強リング３１が外嵌めされた開口から挿入され、吸水用パイプ７からクロス継手９を経由して吸水用パイプ３まで延びている。
【００２０】
次に、作業方法について説明する。
設置作業では、ハンドル４１のハンドル用パイプ４３、４３をそれぞれ把持し、ブルポイント２３を地面に向けた状態で、地面に突き刺して仮止めする。その後、ハンマーヘッド３５を取り付け、ハンマー３６でそのハンマーヘッド３５のヘッド部３７の上面を打ち込んで地中に埋め込んでいく。
【００２１】
その後の採集作業では、図６に示すように、ハンマーヘッド３５を取り外し、代わりに吸水ポンプ４９の吸水チューブ５１を通水孔５の孔列の近くまで挿入する。そして、ピストン５３を引いて吸水し、ボトル５５に吐出させて溜めていく。
図７の矢印に示すように、吸い上げ作用により、地下水（Ｗ）が吸水用パイプ３の通水孔５から吸水路１１を介して吸水チューブ５１内に取り込まれ、ボトル５５に吐き出されて溜まっていく。
地下水（Ｗ）を採集することで、図７の写真に示すような地下水生生物を採集することができる。
【００２２】
撤去作業では、吸水ポンプ４９の吸水チューブ５１を取り外した後に、ハンドル用パイプ４３、４３を把持して持ち上げて、採集具１の吸水用パイプ３を地中から抜き出す。
ブルポイント２３を取り外せば、採集具１は十字状に連結したパイプ体となるので、その中を洗浄し、乾燥するのも容易である。従って、採集作業が終了する毎に採集具１を洗浄・乾燥して、異なる場所で採集した地下水生生物が混じらないようにできる。
【００２３】
採集具１を用いれば、上記したように、地下水生生物を地下水環境から簡易に採集することができる。また、その地下水環境から地下水も同時に採集することになるので、水質と地下水生生物の関係や動態を詳細に調査することが可能となり、地下水汚染を信頼性高く評価できる手法の確立への一歩となることが期待される。
【００２４】
以上、本考案の実施の形態について詳述してきたが、具体的構成は、この実施の形態に限られるものではなく、本考案の要旨を逸脱しない範囲における設計の変更などがあっても考案に含まれる。
たとえば、アダプターチャック１３に装着する先端工具を変更可能にし、地面の種類に応じて、ブルポイントや超硬ドリルを使い分けるようにすることも考えられる。
また、ハンマー３６や吸水ポンプ４９は既存品を利用できる。
【産業上の利用可能性】
【００２５】
本考案は、工具類の製造業に利用できる。
【符号の説明】
【００２６】
１…地下水生生物の採集具
３…吸水用パイプ        ５…通水孔        ７…吸水用パイプ
９…クロス継手        １１…吸水路
１３…アダプターチャック        １５…内筒部        ２１…雄ネジ部材
２３…ブルポイント        ２５…機能部        ２７…受入れ部
２９…キー溝        ３１…補強リング        ３３…支持面
３５…ハンマーヘッド        ３６…ハンマー        ３７…ヘッド部
３９…差込み棒        ４１…ハンドル        ４３…ハンドル用パイプ
４９…吸水ポンプ        ５１…吸水チューブ      ５３…ピストン
５５…ボトル
【図１】
0003186017.tif 000003
【図２】
0003186017.tif 000004
【図３】
0003186017.tif 000005
【図４】
0003186017.tif 000006
【図５】
0003186017.tif 000007
【図６】
0003186017.tif 000008
【図７】
0003186017.tif 000009